(57)【要約】      （修正有）【課題】魚信感度や使用時の疲れやすさなどの主観的特性を、釣竿の現実の使用状態や魚の動きを反映した上で、客観的に評価する評価システムの提供。【解決手段】評価システムは、釣竿の釣り糸を巻き取る巻取部２０と、該釣竿を把持する竿受部とを備え、該巻取部２０は、魚の動きによる該釣り糸２の引張状態をシミュレートすると共に、該釣り糸２にかかる負荷を測定し、該竿受部は、前記釣竿の使用状態をシミュレートすると共に、前記釣竿にかかる負荷を測定し、前記釣り糸２にかかる負荷と前記釣竿にかかる負荷に基づき釣竿を評価する。【選択図】図３
2019062779.tif 000002
【特許請求の範囲】
【請求項１】
釣竿の釣り糸を巻き取る巻取部と、該釣竿を把持する竿受部とを備えた評価システムであって、
該巻取部は、魚の動きによる該釣り糸の引張状態をシミュレートすると共に、該釣り糸にかかる負荷を測定し、
該竿受部は、前記釣竿の使用状態をシミュレートすると共に、前記釣竿にかかる負荷を測定し、
少なくとも前記釣竿にかかる負荷に基づき釣竿を評価する評価システム。
【請求項２】
前記巻取部は、テンション発生部を備え、該テンション発生部は、前記釣り糸を巻き取るように制御される、請求項１に記載の評価システム。
【請求項３】
前記巻取部は、アームを有する偏心部を備え、該偏心部は、該アームにより前記釣り糸に接触するように制御される、請求項２に記載の評価システム。
【請求項４】
前記巻取部は、テンション測定部を備え、該テンション測定部は、前記釣り糸の引張力とその変化を測定するように構成される、請求項２に記載の評価システム。
【請求項５】
前記巻取部の前記テンション発生部と前記偏心部に少なくとも基づき前記魚の動きによる前記釣り糸の引張状態をシミュレートする、請求項３に記載の評価システム。
【請求項６】
前記釣り糸にかかる負荷は、前記テンション発生部と前記偏心部とによる前記釣り糸への負荷を少なくとも含む、請求項５に記載の評価システム。
【請求項７】
前記巻取部の前記テンション発生部による前記釣り糸の巻き取り力は、魚による該釣り糸への負荷をシミュレートする、請求項２に記載の評価システム。
【請求項８】
前記巻取部の前記偏心部による前記釣り糸への接触力は、魚の尾を振ることによる振動をシミュレートする、請求項３に記載の評価システム。
【請求項９】
前記テンション発生部は、巻き取りモータにより前記釣り糸を巻き取る、請求項１から８までのいずれか１項に記載の評価システム。
【請求項１０】
前記偏心部の前記アームは、金属製の複数のアームにより構成される、請求項３に記載の評価システム。
【請求項１１】
前記釣り糸にかかる負荷と前記釣竿にかかる負荷に基づき釣竿を評価する、請求項１から１０までに記載の評価システム。
【発明の詳細な説明】
【技術分野】
【０００１】
本発明は、釣竿の性能を客観的に評価するための評価システムに関する。
【背景技術】
【０００２】
釣竿には、様々な特性が要求される。釣竿の設計時に重要視される特性には、客観的に測定可能な客観的特性と、評価者の主観的な評価によって定められる主観的特性とがある。客観的特性の例は、例えば、竿体の曲げ剛性やねじれ剛性である。主観的特性の例は、魚信感度や使用時の疲れやすさである。
【０００３】
主観的特性の評価は、個人の感じ方というあくまで主観的なものにならざるを得ないことから、信頼性や普遍性に欠けるという問題がある。他方、客観的特性の評価は、定量的なものであるため、個人差とは無関係であるものの、このような評価をもって、魚信感度や使用時の疲れやすさなどの主観的特性を評価することは困難であるという問題がある。
【０００４】
従来より、主観的な評価に拠っていた釣竿の主観的特性を客観的に評価することが求められている。例えば、特開２００３−１０６９３２号公報（特許文献１）には、魚信の感知性能や釣場の底を探った場合の手応え感等の数値評価を行うことで、釣竿感度を客観的に評価することが開示されている。
【０００５】
しかしながら、特許文献１に係る方法では、釣竿の現実の使用状態や魚の動きを必ずしも正確に反映できていないため、魚信の感知性能や釣場の底を探った場合の手応え感等を十分に数値評価できているとは言い難い。
【先行技術文献】
【特許文献】
【０００６】
【特許文献１】特開２００３−１０６９３２号公報
【発明の概要】
【発明が解決しようとする課題】
【０００７】
本発明の目的の一つは、魚信感度や使用時の疲れやすさなどの主観的特性を、釣竿の現実の使用状態や魚の動きを反映した上で、客観的に評価することである。本発明のこれら以外の目的は、本明細書全体を参照することにより明らかとなる。
【課題を解決するための手段】
【０００８】
本発明の一実施形態による評価システムは、釣竿の釣り糸を巻き取る巻取部と、該釣竿を把持する竿受部とを備えた評価システムであって、該巻取部は、魚の動きによる該釣り糸の引張状態をシミュレートすると共に、該釣り糸にかかる負荷を測定し、該竿受部は、前記釣竿の使用状態をシミュレートすると共に、前記釣竿にかかる負荷を測定し、少なくとも前記釣竿にかかる負荷に基づき釣竿を評価する。本発明の一実施形態による評価システムは、前記釣り糸にかかる負荷と前記釣竿にかかる負荷に基づき釣竿を評価するよう構成してもよい。
【０００９】
本発明の一実施形態による評価システムの前記巻取部は、テンション発生部を備え、該テンション発生部は、前記釣り糸を巻き取るように制御される。
【００１０】
本発明の一実施形態による評価システムの前記巻取部は、アームを有する偏心部を備え、該偏心部は、該アームにより前記釣り糸に接触するように制御される。
【００１１】
本発明の一実施形態による評価システムの前記巻取部は、テンション測定部を備え、該テンション測定部は、前記釣り糸の引張力とその変化を測定するように構成される。
【００１２】
本発明の一実施形態による評価システムは、前記巻取部の前記テンション発生部と前記偏心部に少なくとも基づき前記魚の動きによる前記釣り糸の引張状態をシミュレートする。
【００１３】
本発明の一実施形態による評価システムにおける前記釣り糸にかかる負荷は、前記テンション発生部と前記偏心部とによる前記釣り糸への負荷を少なくとも含む。
【００１４】
本発明の一実施形態による評価システムは、前記巻取部の前記テンション発生部による前記釣り糸の巻き取り力が、魚による該釣り糸への負荷をシミュレートする。
【００１５】
本発明の一実施形態による評価システムは、前記巻取部の前記偏心部による前記釣り糸への接触力が、魚の尾を振ることによる振動をシミュレートする。
【００１６】
本発明の一実施形態による評価システムの前記テンション発生部は、巻き取りモータにより前記釣り糸を巻き取る。本発明の一実施形態による評価システムの前記偏心部の前記アームは、金属製の複数のアームにより構成される。
【発明の効果】
【００１７】
魚信感度や使用時の疲れやすさは、釣り人が把持・操作する釣竿に作用する回転トルクの大きさや変化と相関するものである。本発明の実施形態によって、魚信感度や使用時の疲れやすさなどの主観的特性を、釣竿の現実の使用状態や魚の動きを反映した上で、客観的に評価することが可能となる。
【図面の簡単な説明】
【００１８】
【図１】本発明の一実施形態による評価システムの全体構成図である。
【図２】本発明の一実施形態による竿受部の正面図である。
【図３】本発明の一実施形態による巻取部の正面図である。
【図４】本発明の一実施形態による竿受部の平面図である。
【図５】本発明の一実施形態による巻取部の平面図である。
【００１９】
以下、適宜図面を参照し、本発明の様々な実施形態を説明する。なお、各図面において共通する構成要素に対しては同一の参照符号が付されている。各図面は、説明の便宜上、必ずしも正確な縮尺で記載されているとは限らない点に留意されたい。
【００２０】
図１は、本発明の評価システム１の全体の構成を模式的に示す図である。図１に示されるように、評価システム１は、竿受部１０と、巻取部２０とで構成される。なお、巻取部２０は、単独で使用されてもよいし、竿受部１０とは異なる別の装置等と組み合わせてもよい。
【００２１】
図示の評価システムの竿受部１０は、釣竿を把持し、前記釣竿の使用状態をシミュレートすると共に、前記釣竿にかかる負荷を測定する。
【００２２】
図示の評価システムの巻取部２０と、釣竿の釣り糸を巻き取り、魚の動きによる該釣り糸の引張状態をシミュレートすると共に、該釣り糸にかかる負荷を測定する。
【００２３】
次に、図２は本発明の一実施形態による竿受部１０の正面図を示す。竿受部１０は、釣竿３のハンドル部３ａを支持するロッド把持部１１を備え、該ロッド把持部１１は、前記釣竿３の使用状態に応じて、該釣竿の支持長さと該釣竿の把持力を制御可能に構成される。
【００２４】
該ロッド把持部１１は、クランプ構造１２を備えてもよく、クランプ式であれば様々な外径の釣竿３のハンドル部３ａに対応することができる。このようなロッド把持部１１として、適宜入手可能な市販品を用いることができる。
【００２５】
図示のように、本発明の一実施形態による竿受部１０は、回転式制御部１３をさらに備える。回転式制御部１３は、釣竿３の使用状態に応じて、釣竿３の支持角度や釣竿３の角度変化を制御可能なように構成されている。
【００２６】
回転式制御部１３は、モータにより釣竿３の支持角度や釣竿３の角度変化が制御されてもよい。このようなモータとして、適宜入手可能な市販品を用いることができる。
【００２７】
本発明の一実施形態では、竿受部１０の回転式制御部１３は、ロッド把持部１１に支持された釣竿３の回転トルクを測定可能に構成される。
【００２８】
回転式制御部１３は、固定部１４に取り付けられる。当該固定部１４は設置台１５の載置部１７に載置される。設置台１５は図示しない制御盤部を備え、ロッド把持部１１及び回転式制御部１３を適宜制御するよう構成することができる。設置台１５は車輪１６により移動自在に設置される。
【００２９】
上述の通り、竿受部１０のロッド把持部１１及び回転式制御部１３により、釣竿３の支持長さ（ハンドル部３ａの支持部分の長さ）、釣竿３のハンドル部３ａの把持力、釣竿３の支持角度、釣竿３の角度変化及び釣竿の回転トルクを得ることができる。
【００３０】
なお、竿受部１０は、これらの測定値やロッド把持部１１及び回転式制御部１３の各種パラメータを表示するための表示部を備えるよう構成してもよい。
【００３１】
釣竿３の使用状態は、これらの測定値に少なくとも基づきシミュレートすることができる。すなわち、これらの測定値を用いることで、釣り人が釣竿３を同様の支持長さ、把持力、支持角度や角度速度で把持・操作し、その際に釣竿に同様の回転トルクが発生する状態を竿受部１０を用いてより正確に再現することができる。
【００３２】
回転式制御部１３は、ロッド把持部１１に支持された釣竿３の回転トルクを測定可能に構成されており、当該釣竿３の回転トルクの測定値に少なくとも基づき釣竿３を評価する。魚信感度や使用時の疲れやすさは、釣り人が把持・操作する釣竿に作用する回転トルクの大きさや変化と相関するものであることから、竿受部により釣竿の現実の使用状況をシミュレートした状態で釣竿に作用する回転トルクを測定することで、特に、釣竿の魚信感度や使用時の疲れやすさといった主観的な評価を含み得る釣竿の性能を客観的に評価することが可能となる。
【００３３】
次に、図３は本発明の一実施形態による巻取部２０の正面図を示す。本発明の一実施形態による巻取部２０では、地面に配置される複数の支持部材２６により支持された載置台２５上に、各構成部材を備え、各構成部材に釣り糸２を通す。具体的には、竿受部１０からの釣り糸２をまずローラ部２４に通し、続いて、偏心部２３、テンション測定部２２を通り、最後にテンション発生部２１へと通されている。
【００３４】
図示のように、巻取部２０は、テンション発生部２１を備え、該テンション発生部２１は、回転盤２１ａにより釣り糸２を巻き取るように制御される。
【００３５】
テンション発生部２１には巻き取りモータ（図示しない）を設けて、テンション発生部２１の１つ又は複数の回転盤２１ａにより釣り糸２を巻き取るよう構成してもよい。巻き取りモータとして、ブラシレスモータなど適宜入手可能な市販品を用いることができる。
【００３６】
図示のように、本発明の一実施形態による巻取部２０は、さらに回転するアーム２３ａを有する偏心部２３を備え、該偏心部２３の該アーム２３ａは、回転する都度釣り糸２と接触して釣り糸２を下方に押すように制御される。
【００３７】
偏心部２３は、ブラシレスモータなど入手可能な市販品を用いてアーム２３ａを回転させるように構成することができる。また、偏心部２３のアーム２３ａは、金属製の複数のアームにより構成されてもよい。偏心部２３のアーム２３ａの長さは、釣り糸２の位置等に基づき適宜決定することができる。
【００３８】
図示のように、本発明の一実施形態による巻取部２０は、テンション測定部２２を備え、該テンション測定部２２は、釣り糸２の引張力とその変化を測定するように構成される。
【００３９】
巻取部２０は、テンション測定部２２としてテンションセンサを備えてもよい。その場合、テンションセンサは、釣り糸２の引張力とその変化を測定するように構成される。テンションセンサとしては、適宜入手可能な市販品を用いることができる。
【００４０】
本発明の一実施形態による巻取部２０は、巻取部２０のテンション発生部２１と偏心部２３により魚の動きによる前記釣り糸２の引張状態をシミュレートするよう構成されている。巻取部２０における、魚の動きによる前記釣り糸２の引張状態のシミュレーションは、適宜その他の装置を組み合わせて行ってもよい。
【００４１】
巻取部２０のテンション発生部２１による前記釣り糸２の巻き取りは、魚による該釣り糸への負荷をシミュレートするものである。
【００４２】
巻取部２０の偏心部２３による釣り糸２への接触は、魚の尾が振られることによる振動をシミュレートするものである。
【００４３】
このように、評価システム１における巻取部２０は、魚の動きによる釣り糸２の引張状態をシミュレートすると共に、釣り糸２にかかる負荷を測定することで、釣竿を評価するための客観的情報を提供する。
【００４４】
評価システム１の巻取部２０は、テンション発生部２１及び偏心部２３を用いて、魚の動きによる釣り糸２の引張状態を実際により近い状態で再現することができる。
【００４５】
なお、図示しないが、巻取部２０は、テンション発生部２１、偏心部２３の各種制御パラメータや、テンション測定部２２の各種パラメータや測定値を表示する表示部を備えてもよい。また、当該表示部が、竿受部の各種パラメータや測定値も表示するように構成されてもよい。
【００４６】
前述の通り、魚信感度や使用時の疲れやすさは、釣り人が把持・操作する釣竿に作用する回転トルクの大きさや変化と相関するものである。本発明の一実施形態による評価システムでは、巻取部２０により釣り糸２の引張状態をシミュレートし、竿受部１０により釣竿の現実の使用状況をシミュレートすると共に、釣り糸２にかかる負荷及び釣竿に作用する回転トルクを測定することで、特に、釣竿の魚信感度や使用時の疲れやすさといった主観的な評価を含み得る釣竿の性能を客観的に評価することが可能となる。
【００４７】
次に、図４は本発明の一実施形態による竿受部１０の平面図を示す。竿受部１０は、釣竿３のハンドル部３ａを支持するロッド把持部１１を備える。
【００４８】
既述の通り、該ロッド把持部１１は、クランプ構造１２を備えてもよく、クランプ式であれば様々な外径の釣竿３のハンドル部３ａに対応することができる。
【００４９】
図示のように、本発明の一実施形態による竿受部１０は、回転式制御部１３をさらに備える。回転式制御部１３は、釣竿３の使用状態に応じて、釣竿３の支持角度や釣竿３の角度変化を制御可能なように構成されている。
【００５０】
本発明の一実施形態では、回転式制御部１３は、ロッド把持部１１に支持された釣竿３の回転トルクを測定可能に構成される。
【００５１】
回転式制御部１３は、固定部１４に取り付けられ、当該固定部１４は設置台１５の載置部１７に載置される。設置台１５は図示しない制御盤部を備え、ロッド把持部１１及び回転式制御部１３を適宜制御するよう構成することができる。設置台１５は車輪１６により移動自在に設置され得る。各構成部材の配置は、図４に示す形態に限定されるものではなく、適宜変更可能である。
【００５２】
既述の通り、竿受部１０のロッド把持部１１及び回転式制御部１３により、釣竿３の支持長さ（ハンドル部３ａの支持部分の長さ）、釣竿３のハンドル部３ａの把持力、釣竿３の支持角度、釣竿３の角度変化及び釣竿の回転トルクを得ることができる。
【００５３】
なお、竿受部１０は、これらの測定値やロッド把持部１１及び回転式制御部１３の各種パラメータを表示するための表示部を備えるよう構成してもよい。
【００５４】
既述の通り、釣竿３の使用状態は、これらの測定値に少なくとも基づきシミュレートすることができる。すなわち、これらの測定値を用いることで、釣り人が釣竿３を同様の支持長さ、把持力、支持角度や角度速度で把持・操作し、その際に釣竿に同様の回転トルクが発生する状態を竿受部１０を用いてより正確に再現することができる。
【００５５】
既述の通り、回転式制御部１３は、ロッド把持部１１に支持された釣竿３の回転トルクを測定可能に構成されており、当該釣竿３の回転トルクの測定値に少なくとも基づき釣竿３を評価する。魚信感度や使用時の疲れやすさは、釣り人が把持・操作する釣竿に作用する回転トルクの大きさや変化と相関するものであることから、竿受部により釣竿の現実の使用状況をシミュレートした状態で釣竿に作用する回転トルクを測定することで、特に、釣竿の魚信感度や使用時の疲れやすさといった主観的な評価を含み得る釣竿の性能を客観的に評価することが可能となる。
【００５６】
次に、図５は本発明の一実施形態による巻取部２０の平面図を示す。本発明の一実施形態による巻取部２０では、竿受部１０からの釣り２をまずローラ部２４に通し、続いて、偏心部２３、テンション測定部２２を通り、最後にテンション発生部２１へと通されている。
【００５７】
図示のように、巻取部２０は、テンション発生部２１を備え、該テンション発生部２１は、回転盤２１ａにより釣り糸２を巻き取るように制御される。
【００５８】
テンション発生部２１には巻き取りモータ（図示しない）を設けて、テンション発生部２１の１つ又は複数の回転盤２１ａにより釣り糸２を巻き取るよう構成してもよい。
【００５９】
図示のように、本発明の一実施形態による巻取部２０は、さらに回転するアーム２３ａを有する偏心部２３を備え、該偏心部２３の該アーム２３ａは、回転する都度釣り糸２と接触して釣り糸２を下方に押すように制御される。
【００６０】
偏心部２３は、ブラシレスモータなど入手可能な市販品を用いてアーム２３ａを回転させるように構成することができる。また、偏心部２３のアーム２３ａは、金属製の複数のアームにより構成されてもよい。偏心部２３のアーム２３ａの長さは、釣り糸２の位置等に基づき適宜決定することができる。
【００６１】
図示のように、本発明の一実施形態による巻取部２０は、コントローラ２７を備え、これにより、テンション発生部２１、偏心部２３の駆動部（図示しない）を制御するように構成される。
【００６２】
図示のように、本発明の一実施形態による巻取部２０は、テンション測定部２２を備え、該テンション測定部２２は、釣り糸２の引張力とその変化を測定するように構成される。巻取部２０は、テンション測定部２２としてテンションセンサを備えてもよい。
【００６３】
既述の通り、巻取部２０は、巻取部２０のテンション発生部２１と偏心部２３により魚の動きによる前記釣り糸２の引張状態をシミュレートするよう構成されている。巻取部２０における、魚の動きによる前記釣り糸２の引張状態のシミュレーションは、適宜その他の装置を組み合わせて行ってもよい。
【００６４】
既述の通り、巻取部２０のテンション発生部２１による前記釣り糸２の巻き取りは、魚による該釣り糸への負荷をシミュレートするものである。
【００６５】
既述の通り、巻取部２０の偏心部２３による釣り糸２への接触は、魚の尾が振られることによる振動をシミュレートするものである。
【００６６】
このように、評価システム１における巻取部２０は、魚の動きによる釣り糸２の引張状態をシミュレートすると共に、釣り糸２にかかる負荷を測定することで、釣竿を評価するための客観的情報を提供する。
【００６７】
評価システム１の巻取部２０は、テンション発生部２１及び偏心部２３を用いて、魚の動きによる釣り糸２の引張状態を実際により近い状態で再現することができる。各構成部材の配置は、図５に示す形態に限定されるものではなく、適宜変更可能である。
【００６８】
なお、図示しないが、巻取部２０は、テンション発生部２１、偏心部２３の各種制御パラメータや、テンション測定部２２の各種パラメータや測定値を表示する表示部を備えてもよい。また、当該表示部が、竿受部の各種パラメータや測定値も表示するように構成されてもよい。
【００６９】
魚信感度や使用時の疲れやすさは、釣り人が把持・操作する釣竿に作用する回転トルクの大きさや変化と相関するものである。本発明の一実施形態による評価システムでは、巻取部２０により釣り糸２の引張状態をシミュレートし、竿受部１０により釣竿３の現実の使用状況をシミュレートすると共に、釣り糸２にかかる負荷及び釣竿３に作用する回転トルクを測定することで、特に、釣竿３の魚信感度や使用時の疲れやすさといった主観的な評価を含み得る釣竿の性能を客観的に評価することが可能となる。
【００７０】
本明細書で説明された各構成要素の寸法、材料、及び配置は、実施形態中で明示的に説明されたものに限定されず、この各構成要素は、本発明の範囲に含まれうる任意の寸法、材料、及び配置を有するように変形することができる。また、本明細書において明示的に説明していない構成要素を、説明した実施形態に付加することもできるし、各実施形態において説明した構成要素の一部を省略することもできる。
【符号の説明】
【００７１】
１  評価システム
２  釣り糸
３  釣竿
３ａ  ハンドル部
１０  竿受部
１１  ロッド把持部
１２  クランプ構造
１３  回転式制御部
１４  固定部
１５  設置台
１６  車輪
２０  巻取部
２１  テンション発生部
２１ａ  回転盤
２２  テンション測定部
２３  偏心部
２３ａ  アーム
２４  ローラ部
２５  載置台
２６  支持部材
２７  コントローラ
【図１】
2019062779.tif 000003
【図２】
2019062779.tif 000004
【図３】
2019062779.tif 000005
【図４】
2019062779.tif 000006
【図５】
2019062779.tif 000007